【手続補正書】
【提出日】令和2年2月26日(2020.2.26)
【手続補正１】
【補正対象書類名】特許請求の範囲
【補正対象項目名】全文
【補正方法】変更
【補正の内容】
【特許請求の範囲】
【請求項１】
同時表示のためのメディアアセットの伝送のための方法であって、
同時表示のためのメディアアセットを第１のデバイスおよび第２のデバイスに伝送することと、
第１の時間において前記第１のデバイスによって消費される前記メディアアセットの前記量が、前記第１の時間において前記第２のデバイスによって消費される前記メディアアセットの前記量と異なることを判定することと、
前記第１のデバイスによって消費される前記メディアアセットの前記量が、前記第２のデバイスによって消費される前記メディアアセットの前記量と異なることを判定することに応答して、前記第１のデバイスおよび前記第２のデバイスのうちの１つの上の前記メディアアセットの再生を一時停止することと、
第２の時間において前記第１のデバイスによって消費される前記メディアアセットの前記量が、前記第２の時間において前記第２のデバイスによって消費される前記メディアアセットの前記量と異なることを判定することであって、前記第２の時間は、前記第１の時間に続く、ことと、
前記第２の時間において前記第１のデバイスによって消費される前記メディアアセットの前記量が、前記第２の時間において前記第２のデバイスによって消費される前記メディアアセットの前記量と同一であることを判定することに応答して、前記第１のデバイスおよび前記第２のデバイスのうちの前記１つの上の前記メディアアセットの再生を再開することと
を含む、方法。
【請求項２】
前記第１のデバイスによって消費される前記メディアアセットの前記量を示す同期信号を前記第１のデバイスから受信することをさらに含む、請求項１に記載の方法。
【請求項３】
前記第１のデバイスに伝送される前記メディアアセットの量のインジケーションを受信することをさらに含む、請求項１に記載の方法。
【請求項４】
前記第１のインジケーションは、前記第１のデバイス上で再生されている前記メディアアセットの量を示す第１のタイムスタンプを受信することと、
前記第２のデバイス上で再生されている前記メディアアセットの量を示す第２のタイムスタンプを受信することと
をさらに含む、請求項１に記載の方法。
【請求項５】
前記第１のタイムスタンプおよび前記第２のタイムスタンプが閾値時間期間内であるかどうかを判定することをさらに含む、請求項４に記載の方法。
【請求項６】
前記第１のデバイスによって消費される前記メディアアセットの前記量が、前記第２のデバイスによって消費される前記メディアアセットの前記量と異なることを判定することに応答して、再生が前記第１のデバイスおよび前記第２のデバイスのうちの前記１つの上で一時停止されていることを示すアラートを前記第１のデバイスまたは前記第２のデバイスのうちの少なくとも１つの上で生成することをさらに含む、請求項１に記載の方法。
【請求項７】
前記第１のデバイスによって消費される前記メディアアセットの前記量が、前記第２のデバイスによって消費される前記メディアアセットの前記量と異なることを判定することに応答して、前記第１のデバイスまたは前記第２のデバイスのうちの少なくとも１つに伝送される前記メディアアセットの形式を変更することをさらに含む、請求項１に記載の方法。
【請求項８】
前記メディアアセットの前記形式を変更することは、高解像度から標準解像度に前記メディアアセットの品質を低下させることを含む、請求項７に記載の方法。
【請求項９】
前記第２の時間において前記第１のデバイスによって消費される前記メディアアセットの前記量が、前記第２の時間において前記第２のデバイスによって消費される前記メディアアセットの前記量と同一であることを判定することは、前記第１のデバイスによって消費される前記メディアアセットの前記量が、前記第２のデバイスによって消費される前記メディアアセットの前記量の閾値量以内であることを判定することを含む、請求項１に記載の方法。
【請求項１０】
前記第１のデバイスによって消費される前記メディアアセットの前記量を示す同期信号を前記第２のデバイスに伝送することをさらに含む、請求項１に記載の方法。
【請求項１１】
第１の時間において、前記第１の時間において前記第１のデバイスによって消費される前記メディアアセットの量の第１のインジケーションおよび前記第１の時間において前記第２のデバイスによって消費される前記メディアアセットの量の第２のインジケーションを受信することと、
前記第１のインジケーションおよび前記第２のインジケーションを比較し、前記第１の時間において前記第１のデバイスによって消費される前記メディアアセットの前記量が、前記第１の時間において前記第２のデバイスによって消費される前記メディアアセットの前記量と異なることを判定することと
をさらに含む、請求項１に記載の方法。
【請求項１２】
前記第１の時間に続く第２の時間において、前記第２の時間において前記第１のデバイスによって消費される前記メディアアセットの量の第３のインジケーションおよび前記第２の時間において前記第２のデバイスによって消費される前記メディアアセットの量の第４のインジケーションを受信することと、
前記第３のインジケーションおよび前記第４のインジケーションを比較し、前記第２の時間において前記第１のデバイスによって消費される前記メディアアセットの前記量が、前記第２の時間において前記第２のデバイスによって消費される前記メディアアセットの前記量と同一であることを判定することと
をさらに含む、請求項１に記載の方法。
【請求項１３】
同時表示のためのメディアアセットの伝送のためのシステムであって、
制御回路であって、
同時表示のためのメディアアセットを第１のデバイスおよび第２のデバイスに伝送することと、
第１の時間において、前記第１の時間において前記第１のデバイスによって消費される前記メディアアセットの量の第１のインジケーションおよび前記第１の時間において前記第２のデバイスによって消費される前記メディアアセットの量の第２のインジケーションを受信すること、
制御回路を使用して、前記第１のインジケーションおよび前記第２のインジケーションを比較し、前記第１の時間において前記第１のデバイスによって消費される前記メディアアセットの前記量が、前記第１の時間において前記第２のデバイスによって消費される前記メディアアセットの前記量と異なることを判定することと、
前記第１のデバイスによって消費される前記メディアアセットの前記量が、前記第２のデバイスによって消費される前記メディアアセットの前記量と異なることを判定することに応答して、前記第１のデバイスおよび前記第２のデバイスのうちの１つの上の前記メディアアセットの再生を一時停止することと、
前記第１の時間に続く第２の時間において、前記第２の時間において前記第１のデバイスによって消費される前記メディアアセットの量の第３のインジケーションおよび前記第２の時間において前記第２のデバイスによって消費される前記メディアアセットの量の第４のインジケーションを受信することと、
前記制御回路を使用して、前記第３のインジケーションおよび前記第４のインジケーションを比較し、前記第２の時間において前記第１のデバイスによって消費される前記メディアアセットの前記量が、前記第２の時間において前記第２のデバイスによって消費される前記メディアアセットの前記量と同一であることを判定することと、
前記第２の時間において前記第１のデバイスによって消費される前記メディアアセットの前記量が、前記第２の時間において前記第２のデバイスによって消費される前記メディアアセットの前記量と同一であることを判定することに応答して、前記第１のデバイスおよび前記第２のデバイスのうちの前記１つの上の前記メディアアセットの再生を再開することと
を行うように構成される、制御回路
を備える、システム。
【請求項１４】
前記制御回路は、前記第１のデバイスによって消費される前記メディアアセットの前記量を示す同期信号を前記第１のデバイスから受信することによって、前記第１のインジケーションを受信するように構成される、請求項１３に記載のシステム。
【請求項１５】
前記制御回路は、前記第１のデバイスに伝送される前記メディアアセットの量のインジケーションを受信することによって、前記第１のインジケーションを受信するように構成される、請求項１３に記載のシステム。
【請求項１６】
前記第１のインジケーションは、前記第１のデバイス上で再生されている前記メディアアセットの量を示す第１のタイムスタンプを備え、前記第２のインジケーションは、前記第２のデバイス上で再生されている前記メディアアセットの量を示す第２のタイムスタンプを備える、請求項１３に記載のシステム。
【請求項１７】
前記制御回路は、前記第１のタイムスタンプおよび前記第２のタイムスタンプが閾値時間期間内であるかどうかを判定することによって、前記第１のインジケーションおよび前記第２のインジケーションを比較するように構成される、請求項１６に記載のシステム。
【請求項１８】
前記制御回路はさらに、前記第１のデバイスによって消費される前記メディアアセットの前記量が、前記第２のデバイスによって消費される前記メディアアセットの前記量と異なることを判定することに応答して、再生が前記第１のデバイスおよび前記第２のデバイスのうちの前記１つの上で一時停止されていることを示すアラートを前記第１のデバイスまたは前記第２のデバイスのうちの少なくとも１つの上で生成するように構成される、請求項１３に記載のシステム。
【請求項１９】
前記制御回路はさらに、前記第１のデバイスによって消費される前記メディアアセットの前記量が、前記第２のデバイスによって消費される前記メディアアセットの前記量と異なることを判定することに応答して、前記第１のデバイスまたは前記第２のデバイスのうちの少なくとも１つに伝送される前記メディアアセットの形式を変更するように構成される、請求項１３に記載のシステム。
【請求項２０】
前記制御回路は、高解像度から標準解像度に前記メディアアセットの品質を低下させることによって、前記メディアアセットの前記形式を変更するように構成される、請求項１９に記載のシステム。
【手続補正２】
【補正対象書類名】明細書
【補正対象項目名】００２５
【補正方法】変更
【補正の内容】
【００２５】
上記で説明されるシステムおよび／または方法は、他のシステム、方法、および／または装置に適用され得る、またはそれらに従って使用され得ることに留意されたい。
本願明細書は、例えば、以下の項目も提供する。
（項目１）
同時表示のためのメディアアセットの伝送のための方法であって、
同時表示のためのメディアアセットを第１のデバイスおよび第２のデバイスに伝送するステップと、
第１の時間において、前記第１の時間において前記第１のデバイスによって消費される前記メディアアセットの量の第１のインジケーションおよび前記第１の時間において前記第２のデバイスによって消費される前記メディアアセットの量の第２のインジケーションを受信するステップと、
制御回路を使用して、前記第１のインジケーションおよび前記第２のインジケーションを比較し、前記第１の時間において前記第１のデバイスによって消費される前記メディアアセットの前記量が、前記第１の時間において前記第２のデバイスによって消費される前記メディアアセットの前記量と異なることを判定するステップと、
前記第１のデバイスによって消費される前記メディアアセットの前記量が、前記第２のデバイスによって消費される前記メディアアセットの前記量と異なることを判定するステップに応答して、前記第１のデバイスおよび前記第２のデバイスのうちの１つの上の前記メディアアセットの再生を一時停止するステップと、
前記第１の時間に続く第２の時間において、前記第２の時間において前記第１のデバイスによって消費される前記メディアアセットの量の第３のインジケーションおよび前記第２の時間において前記第２のデバイスによって消費される前記メディアアセットの量の第４のインジケーションを受信するステップと、
前記制御回路を使用して、前記第３のインジケーションおよび前記第４のインジケーションを比較し、前記第２の時間において前記第１のデバイスによって消費される前記メディアアセットの前記量が、前記第２の時間において前記第２のデバイスによって消費される前記メディアアセットの前記量と同一であることを判定するステップと、
前記第２の時間において前記第１のデバイスによって消費される前記メディアアセットの前記量が、前記第２の時間において前記第２のデバイスによって消費される前記メディアアセットの前記量と同一であることを判定するステップに応答して、前記第１のデバイスおよび前記第２のデバイスのうちの前記１つの上の前記メディアアセットの再生を再開するステップと、
を含む、方法。
（項目２）
前記第１のインジケーションを受信するステップは、前記第１のデバイスによって消費される前記メディアアセットの前記量を示す同期信号を前記第１のデバイスから受信するステップを含む、項目１に記載の方法。
（項目３）
前記第１のインジケーションを受信するステップは、前記第１のデバイスに伝送される前記メディアアセットの量のインジケーションを受信するステップを含む、項目１に記載の方法。
（項目４）
前記第１のインジケーションは、前記第１のデバイス上で再生されている前記メディアアセットの量を示す第１のタイムスタンプを備え、前記第２のインジケーションは、前記第２のデバイス上で再生されている前記メディアアセットの量を示す第２のタイムスタンプを備える、項目１に記載の方法。
（項目５）
前記第１のインジケーションおよび前記第２のインジケーションを比較するステップは、前記第１のタイムスタンプおよび前記第２のタイムスタンプが閾値時間期間内であるかどうかを判定するステップを含む、項目４に記載の方法。
（項目６）
前記第１のデバイスによって消費される前記メディアアセットの前記量が、前記第２のデバイスによって消費される前記メディアアセットの前記量と異なることを判定するステップに応答して、再生が前記第１のデバイスおよび前記第２のデバイスのうちの前記１つの上で一時停止されていることを示すアラートを前記第１のデバイスまたは前記第２のデバイスのうちの少なくとも１つの上で生成するステップをさらに含む、項目１に記載の方法。
（項目７）
前記第１のデバイスによって消費される前記メディアアセットの前記量が、前記第２のデバイスによって消費される前記メディアアセットの前記量と異なることを判定するステップに応答して、前記第１のデバイスまたは前記第２のデバイスのうちの少なくとも１つに伝送される前記メディアアセットの形式を変更するステップをさらに含む、項目１に記載の方法。
（項目８）
前記メディアアセットの前記形式を変更するステップは、高解像度から標準解像度に前記メディアアセットの品質を低下させるステップを含む、項目７に記載の方法。
（項目９）
前記第２の時間において前記第１のデバイスによって消費される前記メディアアセットの前記量が、前記第２の時間において前記第２のデバイスによって消費される前記メディアアセットの前記量と同一であることを判定するステップは、前記第１のデバイスによって消費される前記メディアアセットの前記量が、前記第２のデバイスによって消費される前記メディアアセットの前記量の閾値量以内であることを判定するステップを含む、項目１に記載の方法。
（項目１０）
前記第１のデバイスによって消費される前記メディアアセットの前記量を示す同期信号を前記第２のデバイスに伝送するステップをさらに含む、項目１に記載の方法。
（項目１１）
同時表示のためのメディアアセットの伝送のためのシステムであって、
制御回路であって、
同時表示のためのメディアアセットを第１のデバイスおよび第２のデバイスに伝送することと、
第１の時間において、前記第１の時間において前記第１のデバイスによって消費される前記メディアアセットの量の第１のインジケーションおよび前記第１の時間において前記第２のデバイスによって消費される前記メディアアセットの量の第２のインジケーションを受信すること、
制御回路を使用して、前記第１のインジケーションおよび前記第２のインジケーションを比較し、前記第１の時間において前記第１のデバイスによって消費される前記メディアアセットの前記量が、前記第１の時間において前記第２のデバイスによって消費される前記メディアアセットの前記量と異なることを判定することと、
前記第１のデバイスによって消費される前記メディアアセットの前記量が、前記第２のデバイスによって消費される前記メディアアセットの前記量と異なることを判定するステップに応答して、前記第１のデバイスおよび前記第２のデバイスのうちの１つの上の前記メディアアセットの再生を一時停止することと、
前記第１の時間に続く第２の時間において、前記第２の時間において前記第１のデバイスによって消費される前記メディアアセットの量の第３のインジケーションおよび前記第２の時間において前記第２のデバイスによって消費される前記メディアアセットの量の第４のインジケーションを受信することと、
前記制御回路を使用して、前記第３のインジケーションおよび前記第４のインジケーションを比較し、前記第２の時間において前記第１のデバイスによって消費される前記メディアアセットの前記量が、前記第２の時間において前記第２のデバイスによって消費される前記メディアアセットの前記量と同一であることを判定することと、
前記第２の時間において前記第１のデバイスによって消費される前記メディアアセットの前記量が、前記第２の時間において前記第２のデバイスによって消費される前記メディアアセットの前記量と同一であることを判定するステップに応答して、前記第１のデバイスおよび前記第２のデバイスのうちの前記１つの上の前記メディアアセットの再生を再開することと
を行うように構成される、制御回路
を備える、システム。
（項目１２）
前記制御回路は、前記第１のデバイスによって消費される前記メディアアセットの前記量を示す同期信号を前記第１のデバイスから受信することによって、前記第１のインジケーションを受信するように構成される、項目１１に記載のシステム。
（項目１３）
前記制御回路は、前記第１のデバイスに伝送される前記メディアアセットの量のインジケーションを受信することによって、前記第１のインジケーションを受信するように構成される、項目１１に記載のシステム。
（項目１４）
前記第１のインジケーションは、前記第１のデバイス上で再生されている前記メディアアセットの量を示す第１のタイムスタンプを備え、前記第２のインジケーションは、前記第２のデバイス上で再生されている前記メディアアセットの量を示す第２のタイムスタンプを備える、項目１１に記載のシステム。
（項目１５）
前記制御回路は、前記第１のタイムスタンプおよび前記第２のタイムスタンプが閾値時間期間内であるかどうかを判定することによって、前記第１のインジケーションおよび前記第２のインジケーションを比較するように構成される、項目１４に記載のシステム。
（項目１６）
前記制御回路はさらに、前記第１のデバイスによって消費される前記メディアアセットの前記量が、前記第２のデバイスによって消費される前記メディアアセットの前記量と異なることを判定するステップに応答して、再生が前記第１のデバイスおよび前記第２のデバイスのうちの前記１つの上で一時停止されていることを示すアラートを前記第１のデバイスまたは前記第２のデバイスのうちの少なくとも１つの上で生成するように構成される、項目１１に記載のシステム。
（項目１７）
前記制御回路はさらに、前記第１のデバイスによって消費される前記メディアアセットの前記量が、前記第２のデバイスによって消費される前記メディアアセットの前記量と異なることを判定するステップに応答して、前記第１のデバイスまたは前記第２のデバイスのうちの少なくとも１つに伝送される前記メディアアセットの形式を変更するように構成される、項目１１に記載のシステム。
（項目１８）
前記制御回路は、高解像度から標準解像度に前記メディアアセットの品質を低下させることによって、前記メディアアセットの前記形式を変更するように構成される、項目１７に記載のシステム。
（項目１９）
前記制御回路は、前記第１のデバイスによって消費される前記メディアアセットの前記量が、前記第２のデバイスによって消費される前記メディアアセットの前記量の閾値量以内であることを判定することによって、前記第２の時間において前記第１のデバイスによって消費される前記メディアアセットの前記量が、前記第２の時間において前記第２のデバイスによって消費される前記メディアアセットの前記量と同一であることを判定するように構成される、項目１１に記載のシステム。
（項目２０）
前記制御回路はさらに、前記第１のデバイスによって消費される前記メディアアセットの前記量を示す同期信号を前記第２のデバイスに伝送するように構成される、項目１１に記載のシステム。
（項目２１）
同時表示のためのメディアアセットの伝送のためのシステムであって、
同時表示のためのメディアアセットを第１のデバイスおよび第２のデバイスに伝送するための手段と、
第１の時間において、前記第１の時間において前記第１のデバイスによって消費される前記メディアアセットの量の第１のインジケーションおよび前記第１の時間において前記第２のデバイスによって消費される前記メディアアセットの量の第２のインジケーションを受信するための手段と、
制御回路を使用して、前記第１のインジケーションおよび前記第２のインジケーションを比較し、前記第１の時間において前記第１のデバイスによって消費される前記メディアアセットの前記量が、前記第１の時間において前記第２のデバイスによって消費される前記メディアアセットの前記量と異なることを判定するための手段と、
前記第１のデバイスによって消費される前記メディアアセットの前記量が、前記第２のデバイスによって消費される前記メディアアセットの前記量と異なることを判定するステップに応答して、前記第１のデバイスおよび前記第２のデバイスのうちの１つの上の前記メディアアセットの再生を一時停止するための手段と、
前記第１の時間に続く第２の時間において、前記第２の時間において前記第１のデバイスによって消費される前記メディアアセットの量の第３のインジケーションおよび前記第２の時間において前記第２のデバイスによって消費される前記メディアアセットの量の第４のインジケーションを受信するための手段と、
前記制御回路を使用して、前記第３のインジケーションおよび前記第４のインジケーションを比較し、前記第２の時間において前記第１のデバイスによって消費される前記メディアアセットの前記量が、前記第２の時間において前記第２のデバイスによって消費される前記メディアアセットの前記量と同一であることを判定するための手段と、
前記第２の時間において前記第１のデバイスによって消費される前記メディアアセットの前記量が、前記第２の時間において前記第２のデバイスによって消費される前記メディアアセットの前記量と同一であることを判定するステップに応答して、前記第１のデバイスおよび前記第２のデバイスのうちの前記１つの上の前記メディアアセットの再生を再開するための手段と、
を備える、システム。
（項目２２）
前記第１のインジケーションを受信するための前記手段は、前記第１のデバイスによって消費される前記メディアアセットの前記量を示す同期信号を前記第１のデバイスから受信するための手段を備える、項目２１に記載のシステム。
（項目２３）
前記第１のインジケーションを受信するための前記手段は、前記第１のデバイスに伝送される前記メディアアセットの量のインジケーションを受信するための手段を備える、項目２１に記載のシステム。
（項目２４）
前記第１のインジケーションは、前記第１のデバイス上で再生されている前記メディアアセットの量を示す第１のタイムスタンプを備え、前記第２のインジケーションは、前記第２のデバイス上で再生されている前記メディアアセットの量を示す第２のタイムスタンプを備える、項目２１に記載のシステム。
（項目２５）
前記第１のインジケーションおよび前記第２のインジケーションを比較するための前記手段は、前記第１のタイムスタンプおよび前記第２のタイムスタンプが閾値時間期間内であるかどうかを判定するための手段を備える、項目２４に記載のシステム。
（項目２６）
前記第１のデバイスによって消費される前記メディアアセットの前記量が、前記第２のデバイスによって消費される前記メディアアセットの前記量と異なることを判定するステップに応答して、再生が前記第１のデバイスおよび前記第２のデバイスのうちの前記１つの上で一時停止されていることを示すアラートを前記第１のデバイスまたは前記第２のデバイスのうちの少なくとも１つの上で生成するための手段をさらに備える、項目２１に記載のシステム。
（項目２７）
前記第１のデバイスによって消費される前記メディアアセットの前記量が、前記第２のデバイスによって消費される前記メディアアセットの前記量と異なることを判定するステップに応答して、前記第１のデバイスまたは前記第２のデバイスのうちの少なくとも１つに伝送される前記メディアアセットの形式を変更するための手段をさらに備える、項目２１に記載のシステム。
（項目２８）
前記メディアアセットの前記形式を変更するための前記手段は、高解像度から標準解像度に前記メディアアセットの品質を低下させるための手段を備える、項目２７に記載のシステム。
（項目２９）
前記第２の時間において前記第１のデバイスによって消費される前記メディアアセットの前記量が、前記第２の時間において前記第２のデバイスによって消費される前記メディアアセットの前記量と同一であることを判定するための前記手段は、前記第１のデバイスによって消費される前記メディアアセットの前記量が、前記第２のデバイスによって消費される前記メディアアセットの前記量の閾値量以内であることを判定するための手段を備える、項目２１に記載のシステム。
（項目３０）
前記第１のデバイスによって消費される前記メディアアセットの前記量を示す同期信号を前記第２のデバイスに伝送するための手段をさらに備える、項目２１に記載のシステム。
（項目３１）
同時表示のためのメディアアセットの伝送のためにその上で符号化された命令を備える、非一過性のコンピュータ可読媒体であって、前記命令は、
同時表示のためのメディアアセットを第１のデバイスおよび第２のデバイスに伝送するための命令と、
第１の時間において、前記第１の時間において前記第１のデバイスによって消費される前記メディアアセットの量の第１のインジケーションおよび前記第１の時間において前記第２のデバイスによって消費される前記メディアアセットの量の第２のインジケーションを受信するための命令と、
制御回路を使用して、前記第１のインジケーションおよび前記第２のインジケーションを比較し、前記第１の時間において前記第１のデバイスによって消費される前記メディアアセットの前記量が、前記第１の時間において前記第２のデバイスによって消費される前記メディアアセットの前記量と異なることを判定するための命令と、
前記第１のデバイスによって消費される前記メディアアセットの前記量が、前記第２のデバイスによって消費される前記メディアアセットの前記量と異なることを判定するステップに応答して、前記第１のデバイスおよび前記第２のデバイスのうちの１つの上の前記メディアアセットの再生を一時停止するための命令と、
前記第１の時間に続く第２の時間において、前記第２の時間において前記第１のデバイスによって消費される前記メディアアセットの量の第３のインジケーションおよび前記第２の時間において前記第２のデバイスによって消費される前記メディアアセットの量の第４のインジケーションを受信するための命令と、
前記制御回路を使用して、前記第３のインジケーションおよび前記第４のインジケーションを比較し、前記第２の時間において前記第１のデバイスによって消費される前記メディアアセットの前記量が、前記第２の時間において前記第２のデバイスによって消費される前記メディアアセットの前記量と同一であることを判定するための命令と、
前記第２の時間において前記第１のデバイスによって消費される前記メディアアセットの前記量が、前記第２の時間において前記第２のデバイスによって消費される前記メディアアセットの前記量と同一であることを判定するステップに応答して、前記第１のデバイスおよび前記第２のデバイスのうちの前記１つの上の前記メディアアセットの再生を再開するための命令と、
を備える、非一過性のコンピュータ可読媒体。
（項目３２）
前記第１のインジケーションを受信するための前記命令は、前記第１のデバイスによって消費される前記メディアアセットの前記量を示す同期信号を前記第１のデバイスから受信するための命令を備える、項目３１に記載の非一過性のコンピュータ可読媒体。
（項目３３）
前記第１のインジケーションを受信するための前記命令は、前記第１のデバイスに伝送される前記メディアアセットの量のインジケーションを受信するための命令を備える、項目３１に記載の非一過性のコンピュータ可読媒体。
（項目３４）
前記第１のインジケーションは、前記第１のデバイス上で再生されている前記メディアアセットの量を示す第１のタイムスタンプを備え、前記第２のインジケーションは、前記第２のデバイス上で再生されている前記メディアアセットの量を示す第２のタイムスタンプを備える、項目３１に記載の非一過性のコンピュータ可読媒体。
（項目３５）
前記第１のインジケーションおよび前記第２のインジケーションを比較するための前記命令は、前記第１のタイムスタンプおよび前記第２のタイムスタンプが閾値時間期間内であるかどうかを判定するための命令を備える、項目３４に記載の非一過性のコンピュータ可読媒体。
（項目３６）
前記第１のデバイスによって消費される前記メディアアセットの前記量が、前記第２のデバイスによって消費される前記メディアアセットの前記量と異なることを判定するステップに応答して、再生が前記第１のデバイスおよび前記第２のデバイスのうちの前記１つの上で一時停止されていることを示すアラートを前記第１のデバイスまたは前記第２のデバイスのうちの少なくとも１つの上で生成するための命令をさらに備える、項目３１に記載の非一過性のコンピュータ可読媒体。
（項目３７）
前記第１のデバイスによって消費される前記メディアアセットの前記量が、前記第２のデバイスによって消費される前記メディアアセットの前記量と異なることを判定するステップに応答して、前記第１のデバイスまたは前記第２のデバイスのうちの少なくとも１つに伝送される前記メディアアセットの形式を変更するための命令をさらに備える、項目３１に記載の非一過性のコンピュータ可読媒体。
（項目３８）
前記メディアアセットの前記形式を変更するための前記命令は、高解像度から標準解像度に前記メディアアセットの品質を低下させるための命令を備える、項目３７に記載の非一過性のコンピュータ可読媒体。
（項目３９）
前記第２の時間において前記第１のデバイスによって消費される前記メディアアセットの前記量が、前記第２の時間において前記第２のデバイスによって消費される前記メディアアセットの前記量と同一であることを判定するための前記命令は、前記第１のデバイスによって消費される前記メディアアセットの前記量が、前記第２のデバイスによって消費される前記メディアアセットの前記量の閾値量以内であることを判定するための命令を備える、項目３１に記載の非一過性のコンピュータ可読媒体。
（項目４０）
前記第１のデバイスによって消費される前記メディアアセットの前記量を示す同期信号を前記第２のデバイスに伝送するための命令をさらに備える、項目３１に記載の非一過性のコンピュータ可読媒体。
（項目４１）
同時表示のためのメディアアセットの伝送のための方法であって、
同時表示のためのメディアアセットを第１のデバイスおよび第２のデバイスに伝送するステップと、
第１の時間において前記第１のデバイスによって消費される前記メディアアセットの前記量が、前記第１の時間において前記第２のデバイスによって消費される前記メディアアセットの前記量と異なることを判定するステップと、
前記第１のデバイスによって消費される前記メディアアセットの前記量が、前記第２のデバイスによって消費される前記メディアアセットの前記量と異なることを判定するステップに応答して、前記第１のデバイスおよび前記第２のデバイスのうちの１つの上の前記メディアアセットの再生を一時停止するステップと、
前記第２の時間において前記第１のデバイスによって消費される前記メディアアセットの前記量が、前記第２の時間において前記第２のデバイスによって消費される前記メディアアセットの前記量と異なることを判定するステップであって、前記第２の時間は、前記第１の時間に続く、ステップと、
前記第２の時間において前記第１のデバイスによって消費される前記メディアアセットの前記量が、前記第２の時間において前記第２のデバイスによって消費される前記メディアアセットの前記量と同一であることを判定するステップに応答して、前記第１のデバイスおよび前記第２のデバイスのうちの前記１つの上の前記メディアアセットの再生を再開するステップと、
を含む、方法。
（項目４２）
前記第１のデバイスによって消費される前記メディアアセットの前記量を示す同期信号を前記第１のデバイスから受信するステップをさらに含む、項目４１に記載の方法。
（項目４３）
前記第１のデバイスに伝送される前記メディアアセットの量のインジケーションを受信するステップをさらに含む、項目４１に記載の方法。
（項目４４）
前記第１のデバイス上で再生されている前記メディアアセットの量を示す第１のタイムスタンプを受信するステップと、
前記第２のデバイス上で再生されている前記メディアアセットの量を示す第２のタイムスタンプを受信するステップと、
さらに含む、項目４１に記載の方法。
（項目４５）
前記第１のタイムスタンプおよび前記第２のタイムスタンプが閾値時間期間内であるかどうかを判定するステップをさらに含む、項目４４に記載の方法。
（項目４６）
前記第１のデバイスによって消費される前記メディアアセットの前記量が、前記第２のデバイスによって消費される前記メディアアセットの前記量と異なることを判定するステップに応答して、再生が前記第１のデバイスおよび前記第２のデバイスのうちの前記１つの上で一時停止されていることを示すアラートを前記第１のデバイスまたは前記第２のデバイスのうちの少なくとも１つの上で生成するステップをさらに含む、項目４１に記載の方法。
（項目４７）
前記第１のデバイスによって消費される前記メディアアセットの前記量が、前記第２のデバイスによって消費される前記メディアアセットの前記量と異なることを判定するステップに応答して、前記第１のデバイスまたは前記第２のデバイスのうちの少なくとも１つに伝送される前記メディアアセットの形式を変更するステップをさらに含む、項目４１に記載の方法。
（項目４８）
前記メディアアセットの前記形式を変更するステップは、高解像度から標準解像度に前記メディアアセットの品質を低下させるステップを含む、項目４７に記載の方法。
（項目４９）
前記第２の時間において前記第１のデバイスによって消費される前記メディアアセットの前記量が、前記第２の時間において前記第２のデバイスによって消費される前記メディアアセットの前記量と同一であることを判定するステップは、前記第１のデバイスによって消費される前記メディアアセットの前記量が、前記第２のデバイスによって消費される前記メディアアセットの前記量の閾値量以内であることを判定するステップを含む、項目４１に記載の方法。
（項目５０）
前記第１のデバイスによって消費される前記メディアアセットの前記量を示す同期信号を前記第２のデバイスに伝送するステップをさらに含む、項目４１に記載の方法。